(57)【要約】【課題】  電力供給機能のある撮影器材用スタンドの提供。【解決手段】  スタンドの脚、或いは中央支柱、或いはハンドルに蓄電ユニットが設けられ、該蓄電ユニットは電池、回路基板を具え、カメラがスタンドに組み付けられる時、少なくとも１本のカメラ電源用伝送線を介して、直接蓄電ユニットより十分な電力を獲得でき、不必要な電池の保持或いは携帯を減らし、使用上の便利性を増した。【選択図】        図１
0003103388.tif 000002
【実用新案登録請求の範囲】
【請求項１】
雲台の一側に方向制御用のハンドルが設けられ、並びに該雲台の底部に一組の三本の脚が枢設された撮影器材用スタンドにおいて、少なくとも一本の脚に収容溝が設けられ、該収容溝内に蓄電ユニットが設けられ、該蓄電ユニットが電池と回路基板を具えたことを特徴とする、撮影器材用スタンド。
【請求項２】
請求項１記載の撮影器材用スタンドにおいて、蓄電ユニットの電池にカメラとの接続用の一本の電源伝送線が設けられたことを特徴とする、撮影器材用スタンド。
【請求項３】
請求項１記載の撮影器材用スタンドにおいて、蓄電ユニットの電池に交流電源と接続される充電器が設けられたことを特徴とする、撮影器材用スタンド。
【請求項４】
ハンドルを具えた雲台の底部の三つの角部にそれぞれ脚が枢設され、別に中央支柱が設けられ、各脚と中央支柱間に連動フレームが設けられた撮影器材用スタンドにおいて、中央支柱に収容溝が設けられ、該収容溝内に蓄電ユニットが設けられ、該蓄電ユニットが電池と回路基板を具えたことを特徴とする、撮影器材用スタンド。
【請求項５】
雲台の一側にハンドルを具え、該ハンドルの反対側に２本の脚が枢設されて三つの支点を構成する撮影器材用スタンドにおいて、該ハンドル内に蓄電ユニットが設けられ、該蓄電ユニットが電池と回路基板を具えたことを特徴とする、撮影器材用スタンド。
【考案の詳細な説明】
【技術分野】
【０００１】
本考案は撮影器材用スタンドに係り、特に直接大型蓄電池がスタンドに組み付けられた構造を指し、スタンドの中空の脚或いは中央支柱或いはハンドルに蓄電ユニットが組み付けられることにより、余分の空間を占用しないことを特徴とした、撮影器材用スタンドに関する。
【背景技術】
【０００２】
撮影器材（例えばカメラ及びビデオカメラ等）は旅行や会議の良きアシスタントであり、当時の心情を撮影し、多くの趣味或いは記憶に値するデータを記録し、後に追憶したり検査するのに供される。
【０００３】
近年、デジタルテクノロジーの発達により、これらの撮影器材は多くの先進の設備及び機能を具備するようになり、特に、それはＬＣＤの普及であり、消費者が使用時に即時に撮影する画像を観ることができ、観察に便利であるほか、各種の異なる角度の位置での撮影に便利である。且つテクノロジーの進歩により、使用者は撮影器材上で直接簡単な撮像の編集が行なえるようになった。上述の機能を有する器材は十分に電力を消費し、特に大スクリーンのＬＣＤはそうである。このため、撮影器材に多くの新機能が与えられたが、電池の蓄電量が往々にして不足して、経常的に撮影ができなくなることがある。このため電力補充の重要性は皆が了解するところであり、外出時には多くの交換式電池、或いは大型の蓄電池を準備して電力補充に備えているが、これが使用上及び携帯上の問題を引き起す。小型電池は使用時間が短過ぎるので、多くを携帯しなければならず、使用の煩わしさが増す。大型蓄電池は非常に不便であり、片手で電池を保持し、もう一方の手で撮影器材を操作せねばならず、且つ撮影器材に安定した撮像を行なわせるためにはスタンドが必要であり、大型電池をスタンドの雲台の一側にくくり付けるか、或いは別の人が手に持つと、撮影作業に不便である。このような周知の撮影器材の電力補充の問題は未だ良好には解決されていない。
【考案の開示】
【考案が解決しようとする課題】
【０００４】
上述の従来の技術の問題を解決するため、本考案は特に蓄電装置を備えたスタンドを提供し、各種のメーカーの異なる形式の撮影器材の電力補充の問題を解決するものである。
【０００５】
本考案の主要な目的は、スタンドの少なくとも一本の脚の上端、或いは中央支柱、或いはハンドルの内部に蓄電ユニットを収容し、電源伝送線により雲台に組み付けられた撮影器材に電力供給できるようにし、蓄電ユニットはまた充電器により充電できるものとし、空間を節約し、使用に便利とし、安全性の高いスタンド設計を提供することにある。
【０００６】
上述の目的を達成するため、本考案は撮影器材用スタンドの脚、或いは中央支柱、或いはハンドルに蓄電ユニットを収容し、該蓄電ユニットは少なくとも、電池、回路基板を具えるものとし、カメラをスタンドに組み付ける時、少なくとも１本のカメラ電源を供給する伝送線を介して、蓄電ユニットより十分な電力をカメラに提供し、電池を保持したり多くの電池を携帯する必要を無くし、使用上、便利とする。
【課題を解決するための手段】
【０００７】
請求項１の考案は、雲台の一側に方向制御用のハンドルが設けられ、並びに該雲台の底部に一組の三本の脚が枢設された撮影器材用スタンドにおいて、少なくとも一本の脚に収容溝が設けられ、該収容溝内に蓄電ユニットが設けられ、該蓄電ユニットが電池と回路基板を具えたことを特徴とする、撮影器材用スタンドとしている。
請求項２の考案は、請求項１記載の撮影器材用スタンドにおいて、蓄電ユニットの電池にカメラとの接続用の一本の電源伝送線が設けられたことを特徴とする、撮影器材用スタンドとしている。
請求項３の考案は、請求項１記載の撮影器材用スタンドにおいて、蓄電ユニットの電池に交流電源と接続される充電器が設けられたことを特徴とする、撮影器材用スタンドとしている。
請求項４の考案は、ハンドルを具えた雲台の底部の三つの角部にそれぞれ脚が枢設され、別に中央支柱が設けられ、各脚と中央支柱間に連動フレームが設けられた撮影器材用スタンドにおいて、中央支柱に収容溝が設けられ、該収容溝内に蓄電ユニットが設けられ、該蓄電ユニットが電池と回路基板を具えたことを特徴とする、撮影器材用スタンドとしている。
請求項５の考案は、雲台の一側にハンドルを具え、該ハンドルの反対側に２本の脚が枢設されて三つの支点を構成する撮影器材用スタンドにおいて、該ハンドル内に蓄電ユニットが設けられ、該蓄電ユニットが電池と回路基板を具えたことを特徴とする、撮影器材用スタンドとしている。
【考案の効果】
【０００８】
本考案は実施上、以下のような効果を有している。
１．本考案は蓄電ユニットがスタンドに設けられ、特にそれがスタンドの脚、中央支柱或いはハンドル等の中空の柱体内に設けられ、有効に空間を節約し、スタンドに電力供給の機能を具備させている。
２．本考案の電力供給用の蓄電ユニットはスタンドの内部に設けられ、使用者がスタンドを使用する時に設備を増設する必要がなく、直接挿入使用でき、使用上、便利である。
３．本考案のスタンドの脚、中央支柱或いはハンドルには蓄電状態を表示する信号表示ランプが設けられ、適時に充電でき、停電の危険がなく、使いやすい。
４．本考案は異なる規格の電源伝送線に交換するだけで異なる規格のカメラに適用でき、使用上、経済的である。
【考案を実施するための最良の形態】
【０００９】
図１、２、３に示されるように、本考案のスタンドは、雲台１０の一側に方向制御用のハンドル１１が設けられ、並びに雲台１０の底部に一組（３本）の脚２０が設けられ、その特徴は、少なくとも一本の脚２０の適当な位置、特に上部位置が好ましいが、そこに、収容溝２１が設けられ、該収容溝２１内に蓄電ユニットＡが設けられたことにある。
【００１０】
図１、２に示されるように、該蓄電ユニットＡは、電池Ａ１、回路基板Ａ２を具えている。該電池Ａ１は必要に応じてリチウム電池、ニッケル水素電池等とされうる。回路基板Ａ２は蓄電状態を表示する信号表示ランプＡ３、Ａ４に接続され、並びに脚２０に嵌合されている。このほか、使用上、１本の電源伝送線Ａ６で蓄電ユニットＡとカメラ４０が接続され、別に充電器Ａ７が必要時に交流電源に接続されて充電される。
【００１１】
図１、３に示されるように、本考案が大型のスタンドに運用される時、雲台１０の底部下方に中央支柱３０が設けられ、その目的は、三つの脚２０の展開と閉合を中央支柱３０の案内により安定させることにある。その特徴は、適当な位置、特に好ましくは上部位置に、収容溝３１が設けられ、該収容溝３１内に蓄電ユニットＡが設けられることにある。
【００１２】
該蓄電ユニットＡは上述したように、電池Ａ１、回路基板Ａ２を具えている。該電池Ａ１は必要に応じてリチウム電池、ニッケル水素電池等とされうる。回路基板Ａ２は蓄電状態を表示する信号表示ランプＡ３、Ａ４に接続され、並びに中央支柱３０に嵌合されている。このほか、使用上、１本の電源伝送線Ａ６で蓄電ユニットＡとカメラ４０が接続され、別に充電器Ａ７が必要時に交流電源に接続されて充電される。
【００１３】
図４、５、６に示される卓上型のスタンドの場合は、雲台５０の一側にハンドル５１が設けられ、該ハンドル５１自身が支持点とされて使用され、即ちさらに２本の脚６０が枢設されてスタンド本体が構成されている。その特徴は、該ハンドル５１内に蓄電ユニットＢが設けられ、該蓄電ユニットＢは、電池Ｂ１、回路基板Ｂ２を具えている。該電池Ｂ１は必要に応じてリチウム電池、ニッケル水素電池等とされうる。回路基板Ｂ２は蓄電状態を表示する信号表示ランプＢ３、Ｂ４に接続され、並びにハンドル５１に内部に嵌合されている。このほか、使用上、１本の電源伝送線Ｂ６で蓄電ユニットＢとカメラ４０が接続され、別に充電器Ｂ７が必要時に交流電源に接続されて充電される。
【００１４】
さらに、図２、３、６に示されるように、上述の各種の実施例は蓄電ユニットＡ、Ｂとカメラ４０を接続する電源伝送線Ａ６、Ｂ６に変圧器Ａ５、Ｂ５を増設可能で、これにより蓄電ユニットＡ、Ｂが異なる電圧の電源をカメラ４０に出力でき、これにより異なる規格の電源伝送線に交換するだけで、同一スタンドを異なるカメラに適用でき、製造及び使用上、いずれもコストを節約できる。
【図面の簡単な説明】
【００１５】
【図１】本考案の構造表示図である。
【図２】本考案の脚部分断面図である。
【図３】本考案の中央支柱部分断面図である。
【図４】本考案の別の実施例組合せ図である。
【図５】本考案の別の実施例分解図である。
【図６】本考案の別の実施例外観図である。
【符号の説明】
【００１６】
１０  雲台            １１  ハンドル
２０  脚              ２１  収容溝
３０  中央支柱        ３１  収容溝
４０  カメラ          ５０  雲台
５１  ハンドル        ６０  脚
Ａ  蓄電ユニット
Ａ１  電池            Ａ２  回路基板
Ａ３  信号表示ランプ  Ａ４  信号表示ランプ
Ａ５  変圧器          Ａ６  電源伝送線
Ａ７  充電器
Ｂ  蓄電ユニット
Ｂ１  電池            Ｂ２  回路基板
Ｂ３  信号表示ランプ  Ｂ４  信号表示ランプ
Ｂ５  変圧器          Ｂ６  電源伝送線
Ｂ７  充電器
【図１】
0003103388.tif 000003
【図２】
0003103388.tif 000004
【図３】
0003103388.tif 000005
【図４】
0003103388.tif 000006
【図５】
0003103388.tif 000007
【図６】
0003103388.tif 000008